(57)【要約】【課題】顧客側の規格の違いに応じて迅速にモジュール化して製造することができ、しかもエネルギー吸収転換装置を外界からの衝撃から保護し、損壊を防止することができるサージエネルギー吸収転換装置の殻体構造の提供。【解決手段】サージエネルギー吸収転換装置の殻体構造は、台板１、サージエネルギー吸収転換装置２、枠体３、保護蓋４を備え、台板１は両端に数個の長槽孔１３を開設し、これにより設備上に固定し、サージエネルギー吸収転換装置２は台板上に重ねて設置し、外側に数個の接線端子台２２を設置し、枠体３はサージエネルギー吸収転換装置２上に設置し、その内側には収容設置空間３２を備え、サージエネルギー吸収転換装置２を収容し、保護蓋４の形状は枠体３と相同で、枠体３上を覆って設置し、保護蓋４底端には、台板１軸孔に対応し、固定部品５により連結して固定する。【選択図】図２
0003156822.tif 000002
【実用新案登録請求の範囲】
【請求項１】
台板、サージエネルギー吸収転換装置、枠体、保護蓋を備え、
前記台板は、両端に、数個の長槽孔を開設し、これにより設備上に固定し、
前記サージエネルギー吸収転換装置は、前記台板上に重ねて設置し、外側に数個の接線端子台を設置し、
前記枠体は、前記サージエネルギー吸収転換装置上に設置し、その内側には、収容設置空間を備え、前記サージエネルギー吸収転換装置を収容し、
前記保護蓋の形状は、前記枠体と相同で、前記枠体上を覆って設置し、
こうして組み合わされる製品は、顧客側の規格の違いに応じて迅速にモジュール化して製造することができ、しかも前記エネルギー吸収転換装置を外界からの衝撃から保護し、損壊を防止することを特徴とするサージエネルギー吸収転換装置の殻体構造。
【請求項２】
請求項１記載のサージエネルギー吸収転換装置の殻体構造において、前記サージエネルギー吸収転換装置は、方形、或いは矩形を呈するブロック体で、モジュール式封入のパーツで、その内部の回路は、外部に、金属ハウジングを設置して全体を統合して封入し、
前記金属ハウジング上には、数個の指示符号を設置し、しかも前記サージエネルギー吸収転換装置の外側には、数個の導電ピンを設置することを特徴とするサージエネルギー吸収転換装置の殻体構造。
【請求項３】
請求項２記載のサージエネルギー吸収転換装置の殻体構造において、前記サージエネルギー吸収転換装置はさらに、回路板上に搭載し、
前記回路板には、前記数個の接線端子台を設置するが、それはそれぞれ前記サージエネルギー吸収転換装置の両辺に位置し、前記サージエネルギー吸収転換装置と前記数個の導電ピンとは電気的に連接することを特徴とするサージエネルギー吸収転換装置の殻体構造。
【請求項４】
請求項３記載のサージエネルギー吸収転換装置の殻体構造において、前記回路板と前記台板との間には、絶縁隔絶板を挟んで設置することを特徴とするサージエネルギー吸収転換装置の殻体構造。
【請求項５】
請求項３記載のサージエネルギー吸収転換装置の殻体構造において、前記枠体は、H型体、或いは凹型体で、外側の相対する位置上には、それぞれ凹槽を備え、
前記凹槽により、前記接線端子台を区画し、露出させることを特徴とするサージエネルギー吸収転換装置の殻体構造。
【請求項６】
請求項３記載のサージエネルギー吸収転換装置の殻体構造において、前記枠体は、完全封鎖式の枠体を呈し、前記保護蓋の表面上には、長槽孔を開設し、
これにより前記サージエネルギー吸収転換装置上の数個の接線端子台を露出させて設置することを特徴とするサージエネルギー吸収転換装置の殻体構造。
【請求項７】
請求項６記載のサージエネルギー吸収転換装置の殻体構造において、前記保護蓋の表面上の複数の接線端子台は、数列の配置として設置することを特徴とするサージエネルギー吸収転換装置の殻体構造。
【請求項８】
請求項５或いは請求項６記載のサージエネルギー吸収転換装置の殻体構造において、前記台板は、数個の嵌合柱と軸孔を備え、これにより前記サージエネルギー吸収転換装置、前記保護蓋と連接して固定し、
前記枠体内側の相対位置には、少なくとも２個の柱孔を設置し、
前記保護蓋底端には、前記台板軸孔に対応する数個の固定孔を設置し、これに固定部品を通し連結して固定し、
前記保護蓋上方の四周辺には、傾斜した保護辺を設置することを特徴とするサージエネルギー吸収転換装置の殻体構造。
【請求項９】
請求項５或いは請求項６記載のサージエネルギー吸収転換装置の殻体構造において、前記サージエネルギー吸収転換装置上には、タイマーを電気的に連接することを特徴とするサージエネルギー吸収転換装置の殻体構造。
【請求項１０】
サージエネルギー吸収転換装置の殻体構造は、H型体、或いは凹型体を呈するブロック体で、モジュール式封入のパーツで、その内部の回路は、外部に、金属ハウジングを設置して全体を統合して封入し、
前記金属ハウジング上には、数個の指示符号を設置し、しかも前記サージエネルギー吸収転換装置の外側には、数個の導電ピンを設置し、
これにより、前記サージエネルギー吸収転換装置は単独使用が可能となり、各種電器製品及び回路中に直接設置することができることを特徴とするサージエネルギー吸収転換装置の殻体構造。
【考案の詳細な説明】
【技術分野】
【０００１】
本考案はサージエネルギー吸収転換装置の殻体構造に関し、特に構造が簡単で、組み立ての便が良く、顧客側の規格の違いに応じて迅速にモジュール化し、製品を製造することができ、内部のエネルギー吸収転換装置を外界からの衝撃から保護し、損壊を防止することができるサージエネルギー吸収転換装置の殻体構造に関する。
【背景技術】
【０００２】
落雷によるサージ、スイッチサージ、電磁パルス波は、設備に異常な干渉をもたらし、或いは故障を引き起こす主要な原因である。通常、この３種のサージ干渉源は（１）電源配線、（２）信号配線(制御配線)、（３）アース配線を通じて侵入する。もし、サージエネルギーと放電電流に対するその設備の処理能力が十分でない、或いは方法が不適当であれば、設備は当然故障し、或いは干渉を受ける。そのため現在では、多くの電子設備、通信設備、制御設備、電力設備に、サージ抑制パーツが設置されており、これにより設備の故障、或いは干渉を減少させている。
【０００３】
しかし、サージ抑制パーツのほとんどは、両端シングルポートの構造であり、従来の構造の大部分は、単一規格の固定封入を採用するため、その内容と外観を機動的に改変することはできない。そのため、製品機能をグレードアップする拡充性を備えておらず、顧客側の要求に応じて、自由に変化させることができない。しかも、多規格、多様生産においては、非常に面倒で、これがコスト高の要因となっている。また、保存分類管理においてもかなり不便で、製品全体各部分の整合設計に、改善の余地がある。
【考案の概要】
【考案が解決しようとする課題】
【０００４】
本考案は、構造が簡単で、組み立ての便が良く、顧客側の規格の違いに応じて迅速にモジュール化し、製品を製造することができ、内部のエネルギー吸収転換装置を外界からの衝撃から保護し、損壊を防止することができるサージエネルギー吸収転換装置の殻体構造を提供することである。
【課題を解決するための手段】
【０００５】
上記課題を解決するため、本考案は下記のサージエネルギー吸収転換装置の殻体構造を提供する。
サージエネルギー吸収転換装置の殻体構造は、台板、サージエネルギー吸収転換装置、枠体、保護蓋を備え、
該台板は、両端に、数個の長槽孔を開設し、これにより設備上に固定し、
設備がサージの侵入を受けて故障し、或いは干渉を受けることがないよう、該サージエネルギー吸収転換装置を該台板上に重ねて設置し、サージを抑制し、該サージエネルギー吸収転換装置は、外側に数個の接線端子台を設置し、
該枠体は、該サージエネルギー吸収転換装置と該台板上に設置し、その内側には、収容設置空間を備え、該サージエネルギー吸収転換装置を収容し、
該保護蓋の形状は、該枠体と相同で、該枠体上を覆って設置し、該保護蓋底端は、該台板に対応して、固定部品を連結して固定し、
こうして組み合わされた製品は、顧客側の規格の違いに応じて迅速にモジュール化して製造することができ、しかも該エネルギー吸収転換装置を外界からの衝撃から保護し、損壊を防止し、さらに他の外在の電力により破壊され、サージエネルギーの吸収を正常に行えない、或いはサージエネルギー吸収を低下させる等の状況の発生を途絶することができる。
【考案の効果】
【０００６】
本考案サージエネルギー吸収転換装置の殻体構造は、構造が簡単で、組み立ての便が良く、顧客側の規格の違いに応じて迅速にモジュール化し、製品を製造することができ、内部のエネルギー吸収転換装置を外界からの衝撃から保護し、損壊を防止することができる。
【図面の簡単な説明】
【０００７】
【図１】本考案の立体模式図である。
【図２】本考案の立体分解模式図である。
【図３】本考案サージエネルギー吸収転換装置の立体模式図である。
【図４】本考案の応用模式図である。
【図５】本考案サージエネルギー吸収転換装置の別種の構造の立体模式図である。
【図６】図５の実施例模式図である。
【図７】本考案の別種の実施例の模式図である。
【図８】本考案がタイマーを増設する実施例の模式図である。
【図９】図８の保護蓋を開放した様子の立体模式図である。
【考案を実施するための形態】
【０００８】
図１、２、３に示すように、本考案サージエネルギー吸収転換装置の殻体構造は、台板１、サージエネルギー吸収転換装置２、枠体３、保護蓋４を重ねて構成する。
台板１は、数個の嵌合柱１１と軸孔１２を備え、これによりサージエネルギー吸収転換装置２、保護蓋４と連接して固定する。しかも、台板１両端には、数個の長槽孔１３を開設し、これにより設備上に固定する。
サージエネルギー吸収転換装置２は、方形、或いは矩形を呈するブロック体で、組合せ時には、台板１上に重ねて設置し、外側に数個の接線端子台２２を設置する。サージエネルギー吸収転換装置２は、モジュール式封入のパーツで、サージエネルギーを吸収し、サージ電圧を抑制する。サージエネルギー吸収転換装置２内部の回路は、外部に、金属ハウジング２０を設置して全体を統合して封入する。金属ハウジング２０上には、数個の指示符号を設置し、外側に数個の導電ピン２０１を設置する。
【０００９】
実施時には、サージエネルギー吸収転換装置２は、用途に応じたさまざまな規格に合わせ、最も基本的な４線ダブルポートに製造し、一般のシングルフェーズの電源回路に応用することができる他、多線ダブルポート、或いは多線マルチポートを採用し、３フェーズ△型、及びＹ型の電源回路に応用することができる。使用時には、先ず、サージエネルギー吸収転換装置２を回路板２１上に搭載する。回路板２１には、数個の接線端子台２２を設置するが、それはそれぞれサージエネルギー吸収転換装置２の両辺に位置し、数個の導電ピン２０１と電気的に連接する。これにより、電線６を接続し、外付けの電源供給設備、或いは各種の電気製品と接続して通電する。
回路板２１上には、台板１の嵌合柱１１、軸孔１２と対応する孔２１１、孔２１２を設置する。これにより、台板１の嵌合柱１１中は回路板２１の孔２１１を通り定位され、固定部品５が台板１の軸孔１２と回路板２１の孔２１１とを貫通して設置され、回路板２１は、台板１上に固定される。回路板２１と台板１との間には、絶縁隔絶板２３を挟んで設置する。異物が侵入し接線端子台２２に接触して、感電の危険が発生しないよう、接線端子台２２上には、蓋板２４を設置して保護する。
【００１０】
枠体３は、サージエネルギー吸収転換装置２と台板１上に設置する。枠体３は、H型体で、外側の相対する位置上には、それぞれ凹槽３１を備える。凹槽３１により、接線端子台２２を区画し、露出させる。枠体３の内側には、収容設置空間３２を備え、サージエネルギー吸収転換装置２を収容する。枠体３内側の相対位置には、少なくとも２個の柱孔３３を設置し、固定部品５を通して接続する。
【００１１】
保護蓋４は、枠体３上を覆って設置し、しかもその形状は、枠体３と相同である。保護蓋４底端には、台板１軸孔１２に対応する数個の固定孔４１を設置し、これに固定部品５を連結して固定する。保護蓋４の表面上には、接線端子台２２と対応する位置に、相対する指示符号を設置し、これにより電線６の位置を正確に対応させて配線する。しかも、人の手が持ち易いように保護し、製品の外観に鋭角が存在することで人の手を傷つけないよう、保護蓋４上方の四周辺には、傾斜した保護辺４２を設置する。さらに、４辺の保護辺４２の傾斜した形状は、製品全体の質感をグレードアップし、市場でのアピール力を向上させることができる。
【００１２】
本考案の応用模式図である図４に示すように、本考案サージエネルギー吸収転換装置の殻体構造は、台板１、サージエネルギー吸収転換装置２、枠体３、保護蓋４の組合せによるため、顧客側の規格の違いに応じて、迅速にモジュール化して製造することができる。
しかも、サージエネルギー吸収転換装置２が外力の衝撃を受け、損壊することがないよう保護し、さらに他の外在の電力により破壊され、サージエネルギーの吸収を正常に行えない、或いはサージエネルギー吸収を低下させる等の状況の発生を途絶することができる。
【００１３】
本考案は、規格、用途の違いに応じて、構造設計及び組み立てにより、各種さまざまな外観、大きさ、形状に変化させることができる。基本的にはおおよそ３種類に分けられる。先ず１種目は、交流と直流電源類を保護する製品(図１〜６に示す構造)で、２種目は、信号類を保護する製品(図７に示す構造)である。３種目は、モジュール式サージエネルギー吸収転換装置２、或いは２aを単独で採用するもので、これにより体積は最小となり、顧客側の要求に応じて、多様な選択で各種異なる電器製品、或いは回路内に結合して応用することができる。
【００１４】
図５、６に示すように、交流と直流電源類を保護する製品であるサージエネルギー吸収転換装置２aの導電ピン２０１aは、サージエネルギー吸収転換装置２aの一端に設置する。数個の接線端子台２２aは、サージエネルギー吸収転換装置２a上に対応して設置する。枠体３aは、完全封鎖式の枠体を呈し、保護蓋４aの表面上には、長槽孔４３aを開設し、これにより数個の接線端子台２２aを通して設置する。
【００１５】
図７に示すように、信号類を保護する製品の構造には、より多くの接線端子台２２bを設置する。また、数列の接線端子台２２bを、保護蓋４b上に配置することもできる(図中は２列)。
【００１６】
上記したすべての構造の組合せ時には、タイマー７を外に、或いは内部に設置することができる。これにより、サージエネルギー吸収転換装置２、２aがサージの衝突を受けた回数を記録し、こうして使用者は本考案が発揮するサージエネルギー吸収転換の効果を明確に理解することができ、サージエネルギー吸収転換装置２、２aが正常に作動しているかどうかを、随時チェックすることができる。
【００１７】
タイマー７を内部に設置する実施例を示す図８、９に示すように、保護蓋４cの表面上には、長槽孔４３cを開設し、これにタイマー７を通して設置する。枠体３cは、片側に凹槽３１cを設置し、これにより接線端子台２２cを区画して、露出させて設置する。内側には、収容設置空間３２cを備え、サージエネルギー吸収転換装置２を収容する。枠体３c内側の相対位置には、少なくとも２個の柱孔３３cを設置し、これに固定部品５を通して設置する。
【００１８】
本考案サージエネルギー吸収転換装置の殻体構造は、迅速かつ機動的に多様に組み合わせて製造することができる。さらに、単独採用のモジュール式サージエネルギー吸収転換装置２、或いは２aを提供することもできる。
【符号の説明】
【００１９】
１  台板
１１  嵌合柱
１２  軸孔
１３  長槽孔
２  サージエネルギー吸収転換装置
２０  金属ハウジング
２０１  導電ピン
２１  回路板
２１１  孔
２１２  孔
２２  接線端子台
２３  絶縁隔絶板
２４  蓋板
２a  サージエネルギー吸収転換装置
２０１a  導電ピン
２２a  接線端子台
２２b  接線端子台
２２c  接線端子台
３  枠体
３１  凹槽
３２  収容設置空間
３３  柱孔
３a  枠体
３b  枠体
３c  枠体
３１c  凹槽
３２c  収容設置空間
３３c  柱孔
４  保護蓋
４１  固定孔
４２  保護辺
４a  保護蓋
４３a  長槽孔
４b  保護蓋
４c  保護蓋
４３c  長槽孔
５  固定部品
６  電線
７  タイマー
【図１】
0003156822.tif 000003
【図２】
0003156822.tif 000004
【図３】
0003156822.tif 000005
【図４】
0003156822.tif 000006
【図５】
0003156822.tif 000007
【図６】
0003156822.tif 000008
【図７】
0003156822.tif 000009
【図８】
0003156822.tif 000010
【図９】
0003156822.tif 000011